(57)【要約】【課題】  特別な装置・器具を用いることなく、フォトスタンド化して飾ることができる葉書を提供する。                                                                【解決手段】  水平状載置面Ｍに立設可能に折曲げる折曲げ溝部１が一面２ａ側に形成された非晶性ポリエステル又はポリエチレン又はポリエチレンテレフタレートから成る透明板２と、透明板２の他面側に透明粘着層を介して貼着された紙製シート体４とを、備える。紙製シート体４の内面側に鑑賞部Ａを有する。紙製シート体４の外面４ｂ側に切手を貼る切手貼付部５と宛名記入部６を有する。【選択図】  図１
2005111887.tif 000002
【特許請求の範囲】
【請求項１】
水平状載置面（Ｍ）に立設可能に折曲げる折曲げ溝部（１）が一面（２ａ）側に形成された非晶性ポリエステル又はポリエチレン又はポリエチレンテレフタレートから成る透明板（２）と、該透明板（２）の他面（２ｂ）側に透明粘着層（３）を介して貼着された紙製シート体（４）とを、備え、該紙製シート体（４）の内面（４ａ）側に鑑賞部（Ａ）を有するとともに、該紙製シート体（４）の外面（４ｂ）側に切手を貼る切手貼付部（５）と宛名記入部（６）を有することを特徴とする葉書。
【請求項２】
水平状載置面（Ｍ）に立設可能に折曲げる折曲げ溝部（１）が一面（２ａ）側に形成された非晶性ポリエステル又はポリエチレン又はポリエチレンテレフタレートから成る透明板（２）と、該透明板（２）の他面（２ｂ）側に積層された印刷層（７）とを、備え、該印刷層（７）の内面（８）側に鑑賞部（Ａ）を有するとともに、該印刷層（７）の外面（９）側に切手を貼る切手貼付部（５）と宛名記入部（６）を有することを特徴とする葉書。
【請求項３】
非晶性ポリエステル又はポリエチレン又はポリエチレンテレフタレートから成り、かつ、水平状載置面（Ｍ）に立設可能に折曲げる折曲げ溝部（１）が一面（２ａ）側に形成され、さらに、他面（２ｂ）側に透明粘着層（３）・剥離紙（10）を順次積層したことを特徴とする透明板。
【発明の詳細な説明】
【技術分野】
【０００１】
本発明は、葉書及び透明板に関する。
【背景技術】
【０００２】
従来、葉書は厚紙に印刷等を施したものから成る単純な通信物であり（例えば、特許文献１参照）、絵葉書や近年一般化した写真葉書（ポストカードやＤＭ等）なども絵柄が入るメリットはあるが、基本的にはその域を出るものではなく、即フォトスタンド化できるものはなかった。
【０００３】
つまり、写真を印刷した葉書を、部屋に飾るためには、写真立てに保持させて机上に置いたり、マグネットにて磁性板に貼付する等、葉書を飾るための特別な装置・器具を必要とした。
【特許文献１】特開２００３−１３６８６４
【発明の開示】
【発明が解決しようとする課題】
【０００４】
解決しようとする課題は、特別な装置・器具を用いることなく、葉書をフォトスタンド化して飾ることができない点である。
【課題を解決するための手段】
【０００５】
上述の目的を達成するために、本発明に係る葉書は、水平状載置面に立設可能に折曲げる折曲げ溝部が一面側に形成された非晶性ポリエステル又はポリエチレン又はポリエチレンテレフタレートから成る透明板と、該透明板の他面側に透明粘着層を介して貼着された紙製シート体とを、備え、該紙製シート体の内面側に鑑賞部を有するとともに、該紙製シート体の外面側に切手を貼る切手貼付部と宛名記入部を有するものである。
【０００６】
また、水平状載置面に立設可能に折曲げる折曲げ溝部が一面側に形成された非晶性ポリエステル又はポリエチレン又はポリエチレンテレフタレートから成る透明板と、該透明板の他面側に積層された印刷層とを、備え、該印刷層の内面側に鑑賞部を有するとともに、該印刷層の外面側に切手を貼る切手貼付部と宛名記入部を有するものである。
【０００７】
また、本発明に係る透明板は、非晶性ポリエステル又はポリエチレン又はポリエチレンテレフタレートから成り、かつ、水平状載置面に立設可能に折曲げる折曲げ溝部が一面側に形成され、さらに、他面側に透明粘着層・剥離紙を順次積層したものである。
【発明の効果】
【０００８】
本発明の葉書によれば、容易に全体をフォトスタンド化することができる。また、本発明の透明板は、剥離紙を剥去って、写真や絵を貼って、葉書として発送可能で、かつ、スタンドとしてそのまま飾ることができて至便である。
【発明を実施するための最良の形態】
【０００９】
図１（イ）は、本発明の第１の実施の形態の使用状態を示す。すなわち、この葉書は、個人用又はダイレクトメール用の葉書であって、写真、絵、図柄、文字等の鑑賞部Ａを有する。そして、通常の葉書と同様に郵送可能である。受取人が折曲げ溝部１を折曲げることだけで簡単に水平状載置面Ｍに立設する（すなわち、フォトスタンド化する）ことができ、不要となれば折曲げ溝部１を折返すことで元の状態（平板状）に戻すことも可能である。
【００１０】
図２・図３に示すように、葉書は、水平状載置面Ｍ（図１（イ）参照）に立設可能に折曲げる折曲げ溝部１が一面２ａ側に形成された非晶性ポリエステル又はポリエチレン又はポリエチレンテレフタレートから成る透明板２と、透明板２の他面２ｂ側に透明粘着層３を介して貼着された紙製シート体４とを、備える。透明粘着層３は、例えば、アクリル系樹脂から成る。紙製シート体４は、例えば、写真葉書、手書き葉書、印刷物等から成る。また、このシート体４の材質は、天然紙の他に、合成紙等でも良い。
【００１１】
葉書は、紙製シート体４の内面４ａ側に鑑賞部Ａを有する。図１（ロ）に示すように、葉書は、紙製シート体４の外面４ｂ側に切手（図示省略）を貼る切手貼付部５と宛名記入部６を有する。
【００１２】
図４に示すように、透明板２に折曲げ溝部１を形成するには、トムソン刃Ｔによる筋押し加工を施す。透明板２は、非晶性ポリエステル又はポリエチレン又はポリエチレンテレフタレートから成るので、容易に筋押し加工を施すことができる。特に、材料にねばりがあるため、筋押し加工時に亀裂を生じないという利点がある。その他の方法としては、例えばルーター（図示省略）によって溝きり加工を施す方法がある。
【００１３】
葉書を立設させるために折曲げる際には、折曲げ溝部１を、透明板２の上記一面２ａとは逆の方向（図３の矢印Ｃ方向）に適当な角度（図示省略）だけ側面視略Ｌ字状に押曲げる。強制的に折曲げているので、物理的反応としてスプリングバック（反動による戻り）が生じるが、このスプリングバックの程度を考慮した角度だけ折曲げる。
【００１４】
図５は、第２の実施の形態を示す。この葉書は、透明板２の他面２ｂ側に印刷層７が積層される。葉書は、印刷層７の内面８側───すなわち、透明板２側の面───に鑑賞部Ａを有する。葉書は、印刷層７の外面９側に切手（図示省略）を貼る切手貼付部５（図１（ロ）参照）と宛名記入部６を有する。
【００１５】
印刷層７は、第１印刷層７ａ、及び、第２印刷層７ｂから成る。そして、透明板２の上記他面２ｂ側に、順次、第１印刷層７ａ、第２印刷層７ｂが積層される。第１印刷層７ａは、矢印Ｄ方向から見たときに（透明板２を介して）鑑賞部Ａを鑑賞することができるように印刷されている。また、第２印刷層７ｂは、矢印Ｅ方向から見たときに切手貼付部５と宛名記入部６を見ることができるように印刷されている。印刷は、例えば、オフセット印刷やシルクスクリーン印刷により印刷する。
【００１６】
図６・図７は、第３の実施の形態を示す。すなわち、この葉書は、短辺11に平行な２本の折曲げ溝部１，１を有する。そして、これらの折曲げ溝部１，１を全体が平面視横倒コ字状になるように折曲げて、水平状載置面Ｍ（図１参照）に立設する。
【００１７】
図８・図９は、本発明の透明板の実施の一形態を示す。この透明板２は、非晶性ポリエステル又はポリエチレン又はポリエチレンテレフタレートから成る。透明板２には、水平状載置面Ｍ（図１参照）に立設可能に折曲げる折曲げ溝部１が一面２ａ側に形成される。他面２ｂ側に透明粘着層３・剥離紙10が順次積層されている。
【００１８】
この透明板２を使用するには、まず、図８に２点鎖線にて示すように、矢印Ｆ方向に剥離紙10を剥離する。その後、図９に示すように、紙製シート体４を貼付して使用する。
【００１９】
なお、本発明は、設計変更可能であって、例えば、印刷層７は、透明板２の一部の範囲に印刷されたものであっても良い。また、透明板２が、ペットボトルの再生材料から成るも良い。
【００２０】
以上のように、本発明の葉書及び透明板は、絵柄や写真の入った葉書を単なる通信物や目だけで見て楽しむものではなく、フォトスタンド化することで、記念品や装飾品などとして場所も取らず身近にかつ好みの場所に永く置くことが可能である。また、整理しようとすれば、折返すことで元のプレート状に戻せる。宣伝物であるダイレクトメールとして活用すれば、従来簡単に破棄されるものでも気に入った絵柄等（鑑賞部Ａ）であれば長期に手元のフォトスタンドとして残して貰え、その宣伝効果・イメージ効果等を大きく高めることができる。すなわち、販促物としての効果が高い。また、小さな力で折曲げることができる。
【００２１】
また、本発明の透明板は、非晶性ポリエステル又はポリエチレン又はポリエチレンテレフタレートから成り、かつ、水平状載置面Ｍに立設可能に折曲げる折曲げ溝部１が一面２ａ側に形成され、さらに、他面２ｂ側に透明粘着層３・剥離紙10を順次積層したので、自分で撮影した写真を直接絵葉書として使用することができる。また、自分で撮影した写真を貼付して、フォトスタンドとして使用することができる。
【図面の簡単な説明】
【００２２】
【図１】第１の実施の形態の使用状態を示す斜視図、及び、背面図である。
【図２】正面図である。
【図３】要部拡大断面側面図である。
【図４】折曲げ溝部の形成方法を示す説明図である。
【図５】第２の実施の形態を示す要部拡大断面側面図である。
【図６】第３の実施の形態を示す断面平面図である。
【図７】正面図である。
【図８】透明板の実施の一形態を示す要部拡大断面側面図である。
【図９】使用状態を示す要部拡大断面側面図である。
【符号の説明】
【００２３】
１  折曲げ溝部
２  透明板
２ａ  一面
２ｂ  他面
３  透明粘着層
４  紙製シート体
４ａ  内面
４ｂ  外面
５  切手貼付部
６  宛名記入部
７  印刷層
８  内面
９  外面
10  剥離紙
Ａ  鑑賞部
Ｍ  水平状載置面
【図１】
2005111887.tif 000003
【図２】
2005111887.tif 000004
【図３】
2005111887.tif 000005
【図４】
2005111887.tif 000006
【図５】
2005111887.tif 000007
【図６】
2005111887.tif 000008
【図７】
2005111887.tif 000009
【図８】
2005111887.tif 000010
【図９】
2005111887.tif 000011